(57)【要約】      （修正有）【課題】眼鏡に対し、無線式ヘッドセットを着脱自在に系止する着脱具を提供する。【解決手段】眼鏡に対し、無線式ヘッドセットを着脱自在に系止する着脱具であって、着脱具は無線式ヘッドセットを接着固定する平面状の接着面２２と、眼鏡のテンプルへ着脱自在に固定する固定部を備えた事を特徴とする。該固定部は眼鏡のテンプルを挟み込む対のフック部２３、２４と、固定用の凸部を備えた事を特徴とする。【選択図】図４
0003199563.tif 000002
【実用新案登録請求の範囲】
【請求項１】
眼鏡に対し、無線式ヘッドセットを着脱自在に系止する着脱具であって、着脱具は無線式ヘッドセットを接着固定する平面状の接着面と、眼鏡のテンプルへ着脱自在に固定する固定部を備えた事を特徴とする装着具。
【請求項２】
該接着面に於いて無線式ヘッドセットとの接着に両面粘着テープにて接着する事を特徴とする請求項１に記載の装着具。
【請求項３】
該固定部は眼鏡のテンプルを挟み込む対のフック部と、固定用の凸部を備えた事を特徴とする請求項１から請求項２に記載の装着具。
【請求項４】
無線式ヘッドセットを着脱自在に系止する眼鏡であって、テンプルの一部はモダンからヒンジに向かって徐々に幅広になるテーパー部と凹部とを備えた事を特徴とする眼鏡。
【考案の詳細な説明】
【技術分野】
【０００１】  本考案は、眼鏡に対し、無線式ヘッドセットを着脱自在に系止する着脱具に関するものである。
【背景技術】
【０００２】  両手を使っている状態でも電話をできる様にする為、無線式のヘッドセットが販売されている。従来は、ヘッドホンタイプにマイク部が大きくせり出したものが多かったが、近年は片耳タイプも多く、無線方式は、デジタル機器用の近距離無線通信規格のブルートゥースが使用されている場合が多い。【０００３】  無線式のヘッドセットを耳に装着し、電話がかかってきた時はヘッドセットのスイッチを入れて会話を始めるが、電話で話をしていない状態でも、常にヘッドセットを耳に装着したままでは違和感がある。この為、通常は耳に装着していないが、電話する際はすばやく耳に装着できるヘッドセットの保持方法が望まれている。【０００４】  眼鏡とヘッドホンあるいはイヤホンが一体となったものとしてはいくつかの考案がされている。立体映像観察用眼鏡付きヘッドホン、特許第３６１７０９４号、改良型ヘッドセット、特許第５４３８７５９号などがある。しかしながら、前記眼鏡一体型は、ヘッドセット、イヤホンを使用しない場合も常に眼鏡と一体であり、眼鏡のみで使用する際、ヘッドセット、イヤホン部が邪魔であった。【０００５】  また、眼鏡にイヤホンを着脱自在に装着するものとして、眼鏡装着型イヤホンが知られている。実用新案登録第３１４３０８１号。これは、イヤホンにクリップ機構を備え、眼鏡の耳掛け部（テンプル部又はモダン部）をクリップ機構で挟み込むものであった。眼鏡を掛けた状態で、クリップ機構付きイヤホンを眼鏡に装着する為には、クリップ先端部をテンプルと側頭部間に差し込む事が必要となり、差し込む時に、クリップ先端が髪の毛を挟み込む事が有り、髪の毛が引っ張られ、痛い思いをした。また、テンプルと側頭部間にクリップがある事により、側頭部が痛くなることもあった。また、クリップの差し込み時にモダンが耳からはずれ、眼鏡が落ちる事もあった。
【特許文献１】特許第３６１７０９４号
【特許文献２】特許第５４３８７５９号
【特許文献３】実用新案登録第３１４３０８１号
【考案の開示】
【考案が解決しようとする課題】
【０００６】  本考案は、眼鏡に対し、無線式ヘッドセットを着脱自在に系止する着脱具を提供する事にある。
【課題を解決するための手段】
【０００７】  本考案は、眼鏡に対し、無線式ヘッドセットを着脱自在に系止する着脱具であって、着脱具は無線式ヘッドセットを接着固定する平面状の接着面と、眼鏡のテンプルへ着脱自在に固定する固定部を備えた事を特徴とする。【０００８】  また、該接着面に於いて無線式ヘッドセットとの接着に両面粘着テープにて接着する事を特徴とする。【０００９】  また、固定部は眼鏡のテンプルを挟み込む対のフック部と、固定用の凸部を備えた事を特徴とする。【００１０】  また、無線式ヘッドセットを着脱自在に系止する眼鏡であって、テンプルの一部はモダンからヒンジに向かって徐々に幅広になるテーパー部と凹部とを備えた事を特徴とする。
【考案の効果】
【００１１】  本考案の眼鏡に対し、無線式ヘッドセットを着脱自在に系止した状態から電話がかかってきた時、眼鏡から容易に無線式ヘッドセットを取り外し、無線式ヘッドセットを耳に装着し電話での通話を行い、通話終了時は無線式ヘッドセットを眼鏡に容易に装着する事ができる。
【考案を実施するための最良の形態】
【００１２】  着脱具と無線式ヘッドセットが一体に見える様にデザインされた物が見栄えも良い。
【実施例１】
【００１３】  図１は、一般的な眼鏡の斜視図である。１はリムであって、２はブリッジ、３はヒンジ、４はテンプル、５はモダン、６はテーパー部、７は凹部を示している。【００１４】  テーパー部５は、モダンからからヒンジに向かって徐々に幅広になっている。また凹部７は、図では丸穴としているが、テンプルのデザインにより、角型、その他色々な形状の凹または抜きにする場合がある。【００１５】  図２は、無線式ヘッドセットを示す斜視図である。１２は棒状マイク部を示し、１３は耳穴挿入部、１４は平面部、１５はスイッチである。棒状部１２の先端付近にはマイクが内蔵されている。【００１６】  図３は、着脱具を固定部面方向から見た状態を示す斜視図である。【００１７】  図４は、着脱具を接着面方向から見た状態を示す斜視図である。２２は接着面を示し、２３、２４はフック部、２５は凸部である。固定部２３、２４はコの字型で、テーパー状に配されている。凸部２５はヒンジリブの上に配されている。【００１８】  図５は、無線式ヘッドセットに対し、着脱具２１を接着した状態を斜視図である。無線式ヘッドセットと着脱具の接着は、両面粘着テープが望ましいが、接着剤を使用する場合もある。【００１９】  図６は、眼鏡に対し、無線式ヘッドセットを系止する前の位置に置いた状態を示す斜視図である。この時、凸部２５はヒンジリブが曲がった状態になっている。【００２０】  図７は、眼鏡に対し、無線式ヘッドセットを系止する位置にスライドさせた状態を示す斜視図である。この時無線式ヘッドセットを、図５の位置に対し、眼鏡のヒンジ３の方向にスライド移動させる事で、フック部２３、２４の先端がテンプル４の裏側を保持し、凸部２５は眼鏡の凹部７に入り込むことでロックが掛かった状態になり、逆方向への戻りを防止している。【００２１】  無線式ヘッドセットを眼鏡から外す際は、無線式ヘッドセットをモダン５の方向へスライドさせる事により、フック部２３、２４が、テンプル４の裏側から外れ、無線式ヘッドセットを眼鏡から外す事ができる。【００２２】  凸部２５は、固定時は抜けにくく、外す際は容易にロックが外れる事が必要であり、先端部に適切なＣ面カットを備える事が望ましい。
【産業上の利用可能性】
【００２３】  本発明の、眼鏡に対し無線式ヘッドセットを着脱自在に系止する着脱具は、眼鏡側面部に無線ヘッドセットを備え、必要な時に無線式ヘッドセットを眼鏡から取り外し、耳に装着する事でスムーズな電話通話を可能としている。
【図面の簡単な説明】
【００２４】
【図１】一般的な眼鏡の斜視図。
【図２】無線式ヘッドセットを示す斜視図。
【図３】着脱具を固定部面方向から見た状態を示す斜視図。
【図４】着脱具を接着面方向から見た状態を示す斜視図。
【図５】無線式ヘッドセット１１に対し、着脱具２１を接着した状態を斜視図。
【図６】眼鏡に対し、無線式ヘッドセット１１を系止する前の位置に置いた状態を示す斜視図。
【図７】眼鏡に対し、無線式ヘッドセット１１を系止する位置にスライドさせた状態を示す斜視図。
【符号の説明】
【００２５】  １    リム
２    ブリッジ
３    ヒンジ
４    テンプル
５    モダン
６    テーパー部
７    凹部
１２    棒状マイク部
１３    耳穴挿入部
１４    平面部
１５    スイッチ
２２    接着面
２３    フック部
２４    フック部
２５    凸部
【図１】
0003199563.tif 000003
【図２】
0003199563.tif 000004
【図３】
0003199563.tif 000005
【図４】
0003199563.tif 000006
【図５】
0003199563.tif 000007
【図６】
0003199563.tif 000008
【図７】
0003199563.tif 000009
【手続補正書】
【提出日】平成27年3月26日(2015.3.26)
【手続補正１】
【補正対象書類名】実用新案登録請求の範囲
【補正対象項目名】請求項４
【補正方法】削除
【補正の内容】
【手続補正書】
【提出日】平成27年5月29日(2015.5.29)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
眼鏡に対し、無線式ヘッドセットを着脱自在に系止する着脱具であって、着脱具は無線式ヘッドセットを接着固定する平面状の接着面と、眼鏡のテンプルへ着脱自在に固定する固定部を備えた事を特徴とする装着具。
【請求項２】
該接着面に於いて無線式ヘッドセットとの接着に両面粘着テープにて接着する事を特徴とする請求項１に記載の装着具。
【請求項３】
該固定部は眼鏡のテンプルを挟み込む対のフック部と、固定用の凸部を備えた事を特徴とする請求項１から請求項２に記載の装着具。